(57)【要約】【課題】ＡＣアダプタに装着された状態で、コードと共にフェライトコアを容易に収容することができるアダプタコードリールを提供する。【解決手段】ＡＣアダプタ２が装着されるアダプタ装着部２０と、ＡＣアダプタ２に接続したコード４が巻回されるリール部３０と、リール部３０の一部に設けられ、コード４に介設したフェライトコア５が係止されるフェライトコア係止部４０と、を備えたものである。【選択図】図４
2010073600.tif 000002
【特許請求の範囲】
【請求項１】
ＡＣアダプタが装着されるアダプタ装着部と、
前記ＡＣアダプタに接続したコードが巻回されるリール部と、
前記リール部の一部に設けられ、前記コードに介設したフェライトコアが係止されるフェライトコア係止部と、を備えたことを特徴とするアダプタコードリール。
【請求項２】
前記リール部は、前記コードが巻回される巻掛け部と、前記巻掛け部の両側に設けたばね性を有する一対のフランジ部と、を有し、
前記フェライトコア係止部は、前記一対のフランジ部間に構成されていることを特徴とする請求項１に記載のアダプタコードリール。
【請求項３】
前記アダプタ装着部は、前記リール部の内側に形成されていることを特徴とする請求項１または２に記載のアダプタコードリール。
【請求項４】
前記フェライトコア係止部は、前記リール部の１の辺に沿わせて配設されていることを特徴とする請求項３に記載のアダプタコードリール。
【請求項５】
前記フェライトコア係止部は、前記一対のフランジ部の内側に突設され、前記フェライトコアを内外方向に位置規制する突起で構成されていることを特徴とする請求項２ないし４のいずれかに記載のアダプタコードリール。
【請求項６】
前記一対のフランジ部は、前記コードを係止する１つ以上の切込み係止部を有していることを特徴とする請求項２ないし５のいずれかに記載のアダプタコードリール。
【発明の詳細な説明】
【技術分野】
【０００１】
本発明は、ＡＣアダプタ付きのコードを収容するアダプタコードリールに関するものである。
【背景技術】
【０００２】
従来、ＡＣアダプタに設けられたコードを容易に保管および携帯するために、ＡＣアダプタを収容する収容部の外周に、コードを巻き付けるための溝を設けたコード収容アタッチメント（アダプタコードリール）が知られている（特許文献１参照）。このコード収容アタッチメントは、ＡＣアダプタ不使用時の保管および携帯の際に、ＡＣアダプタをケース収容部にはめこんでコードを収容部に巻きつけることにより、コード処理を容易にし、コードへの異常なストレスが発生しないようにしている。一方、収容ケースにＡＣアダプタをはめ込むだけの構造ではなく、両者を固定する機構が設けられているものも提案されている（特許文献２参照）。
【特許文献１】実開平６−８８１９６号公報
【特許文献２】特許第３９９６５４１号
【発明の開示】
【発明が解決しようとする課題】
【０００３】
ところで、この種のコードには、接続機器へのノイズ対策のためにフェライトコアが設けられている場合が多い。上述した従来のアダプタコードリールでは、フェライトコアを収容する部位がないため、フェライトコア付のコードを収容する場合、フェライトコアのみならず、コードも収容できなくなってしまう問題があった。
【０００４】
本発明は、ＡＣアダプタに装着された状態で、コードと共にフェライトコアを容易に収容することができるアダプタコードリールを提供することを課題とする。
【課題を解決するための手段】
【０００５】
本発明のアダプタコードリールは、ＡＣアダプタが装着されるアダプタ装着部と、ＡＣアダプタに接続したコードが巻回されるリール部と、リール部の一部に設けられ、コードに介設したフェライトコアが係止されるフェライトコア係止部と、を備えたことを特徴とする。
【０００６】
この場合、リール部は、コードが巻回される巻掛け部と、巻掛け部の両側に設けたばね性を有する一対のフランジ部と、を有し、フェライトコア係止部は、一対のフランジ部間に構成されていることが好ましい。
【０００７】
これらの構成によれば、ＡＣアダプタをアダプタ装着部に装着した後、コードをリール部に巻回すると共にフェライトコアをフェライトコア係止部に係止することで、ＡＣアダプタ付コードが収容される。この場合、フェライトコアがリール部の一部に設けられたフェライトコア係止部に係止されるため、コードの巻回とフェライトコアの係止とを一連の作業で行うことができ、コードおよびフェライトコアを容易に収容することができる。
【０００８】
この場合、アダプタ装着部は、リール部の内側に形成されていることが好ましい。
【０００９】
また、フェライトコア係止部は、リール部の１の辺に沿わせて配設されていることが好ましい。
【００１０】
これらの構成によれば、ＡＣアダプタとアダプタコードリールとを一本化することができると共に、フェライトコアをリール部に収容することができ、ＡＣアダプタ付コードの携帯性や保管性を高めることができる。
【００１１】
さらに、フェライトコア係止部は、一対のフランジ部の内側に突設され、フェライトコアを内外方向に位置規制する突起で構成されていることが好ましい。
【００１２】
この構成によれば、フェライトコア係止部を簡単に形成することができると共に、フェライトコアを簡単に着脱することができる。
【００１３】
一方、一対のフランジ部は、コードを係止する１つ以上の切込み係止部を有していることが好ましい。
【００１４】
この構成によれば、コードの両端部（ＡＣアダプタ本体側端部およびコネクタ側端部）を、切込み係止部に係止することにより、コードをリール部から任意の長さだけ引き出した状態で、ＡＣアダプタ付コードを使用することができる。なお、切込み係止部は、一方のフランジ部に設けてもよいし、両方のフランジ部に設けるようにしてもよい。
【発明を実施するための最良の形態】
【００１５】
以下、添付の図面を参照して、本発明の一実施形態に係るアダプタコードリールについて説明する。このアダプタコードリールは、携帯や保管のために、フェライトコアを有するＡＣアダプタ付コードを収容するものである。以下、説明をわかり易くすべく、先ずＡＣアダプタ付コードから説明する。
【００１６】
図１に示すように、ＡＣアダプタ付コード１は、商用電源（コンセント）に接続されるＡＣアダプタ２と、機器に接続されるコネクタ３と、ＡＣアダプタ２とコネクタ３とを接続するコード４と、コード４に介設したフェライトコア５と、で構成されている。フェライトコア５は、機器へのノイズ対策を目的として設けられたものであり、コード４のコネクタ３寄りの部分に介設されている。また、ＡＣアダプタ２は、内部に電源トランスと整流回路（いずれも図示省略）を収容したＡＣアダプタ本体７と、ＡＣアダプタ本体７の１の面から突出したコンセント接続用の差込プラグ６と、で構成されている。
【００１７】
次に、図２を参照して、アダプタコードリール１０について詳細に説明する。図２（a）に示すように、アダプタコードリール１０は樹脂製であり、ＡＣアダプタ２が装着されるアダプタ装着部２０と、アダプタ装着部２０の周囲に配設され、コード４が巻回されるリール部３０と、で一体に形成されている。ＡＣアダプタ付コード１は、アダプタ装着部２０に側方からＡＣアダプタ２を装着した後、リール部３０にコード４を巻回すると共にフェライトコア５を係止するようにして、アダプタコードリール１０に収容される。
【００１８】
アダプタ装着部２０は、リール部３０の内側に設けた開口部１１に組み込まれており、開口部１１の上下略中間位置に開口部１１を横断するように渡した隔板１２と、隔板１２と開口部１１の天面１３との間に渡した一対の板状部材１４からなるプラグ係止部１５と、で構成されている。隔板１２はリール部３０の厚み方向の寸法と合致する幅を有し、一対の板状部材１４はこれより短い幅に形成され、いずれもリール部３０と一体に形成されている。一対の板状部材１４は、ＡＣアダプタ２の差込プラグ６を係止する部分であり、それぞればね性を有すると共に相互に平行に配設されている。差込プラグ６は、一対の板状部材１４の内側に挿入され、板状部材１４間を広げるようにしてこれに係止される。すなわち、ＡＣアダプタ２は、その差込プラグ６を一対の板状部材１４間に嵌入するようにし、湾曲した一対の板状部材１４によりアダプタ装着部２０に装着される。そして、アダプタ装着部２０に装着された状態で、ＡＣアダプタ本体７はリール部３０の一方の端面に当接し、差込プラグ６の先端は、開口部１１内において各々が板状部材１４から突出するようになっている（図４参照）。なお、実施形態のプラグ係止部１５は、差込プラグ６が一対の板状部材１４の内側に位置して広げる係止形態となっているが、一対の板状部材１４の外側に位置して狭める形態であってもよい。
【００１９】
リール部３０は、ＡＣアダプタ２より一回り大きく且つＡＣアダプタ２の形状に合わせて略方形に形成されおり、ばね性を有する一対のフランジ部１６と、フランジ部１６間に形成されコードが巻回される巻掛け部１７とによって構成されている（図２（a））。一対のフランジ部１６と巻掛け部１７とは、連続した断面「Ｕ」字状の環状溝を為すように一体に形成されると共に、その内側に上記の開口部１１を形成している。なお、巻掛け部１７には、コードを容易に巻回させるためのガイド溝を設けてもよい（図示省略）。
【００２０】
略方形に形成されたリール部３０の下辺に相当する部分は、他の辺と異なり一対のフランジ部１６が外側に長く延在しており、この部分にフェライトコア５を係止するフェライトコア係止部４０が形成されている（図２（ｂ）参照）。フェライトコア係止部４０は、リール部３０の下辺に相当する部分における一対のフランジ部１６の内側に突設された、２組の２条の係止突部（突起）１８で構成されている。すなわち、各フランジ部１６には、内向きに突設され、下辺に沿って相互に平行に延びる２条の係止突部１８が形成されており、この対向する２組の２条の係止突部１８間にフェライトコア５が、着脱自在に装着されるようになっている。各係止突部１８は、断面山形に形成され、一対のフランジ部１６を押し開いて外側の一対の係止突部１８を越えるようにして、フェライトコア５がフェライトコア係止部４０に装着され、また逆の手順でフェライトコア５がフェライトコア係止部４０から離脱される。
【００２１】
ここで、図３および図４を参照して、ＡＣアダプタ付コード１の収容方法について簡単に説明する。先ず、図３に示すように、ＡＣアダプタ付コード１の差込プラグ６が、アダプタコードリール１０のプラグ係止部１５に設けられた一対の板状部材１４に差し込まれる。ここで、隔板１２上に平行に設置された一対の板状部材１４は、差込プラグ６が差込装着された状態で、差込プラグ６の先端が突出するような幅に形成されているため、差込プラグ６がプラグ係止部１５から離脱する向きに力が作用することがなく、アダプタコードリール１０とＡＣアダプタ２とが一体化することになる。このとき、一対の板状部材１４は、差込プラグ６を外側から挟持し、狭める方向に作用することによって差込プラグ６を位置規制する（図４）。
【００２２】
次に、ＡＣアダプタ本体７に接続したコード４を、アダプタコードリール１０の巻掛け部１７に巻回してゆく。コード４の巻回が進んでフェライトコア５の位置まできたら、フェライトコア５を、フェライトコア係止部４０に設けられた係止突部１８にはめ込む。これにより、フェライトコア５が、フェライトコア係止部４０において内外方向に位置規制される（図４）。そして、フェライトコア５がフェライトコア係止部４０に係止されることにより、巻掛け部１７のコード巻回状態が保持される。このようにして、不使用時のＡＣアダプタ付コード１およびフェライトコア５は、アダプタコードリール１０に収容される。
【００２３】
以上のように、本発明の一実施形態によれば、アダプタコードリールは、フェライトコアを有するＡＣアダプタ付コードを容易に収容することができる。
なお、本実施形態では、フェライトコア係止部を一対のフランジ部の内側に配設したが、フランジ部の外側に設置してもよい。かかる場合には、フランジ部の一方の外面に一対の係止用爪片等を形成する。また、本実施形態では、リール部を略方形としたが、円形・楕円形等の形状であってもよい。
【図面の簡単な説明】
【００２４】
【図１】ＡＣアダプタ付コードの全体斜視図である。
【図２】アダプタコードリールの斜視図（ａ）、アダプタコードリールの側面図（ｂ）である。
【図３】アダプタコードリールとアダプタ付コードとの装着前状態を示す斜視図である。
【図４】アダプタコードリールとアダプタ付コードとの装着後状態を示す斜視図である。
【符号の説明】
【００２５】
２…ＡＣアダプタ  ３…コネクタ  ４…コード  １０…アダプタコードリール  １５…プラグ係止部  １６…フランジ部  １７…巻掛け部  ２０…アダプタ装着部  ３０…リール部  ４０…フェライトコア係止部
【図１】
2010073600.tif 000003
【図２】
2010073600.tif 000004
【図３】
2010073600.tif 000005
【図４】
2010073600.tif 000006